(57)【要約】【課題】法面（１）は農民の苦痛の種となる、雑草、土砂崩れ、地下水の侵入など艱難辛苦労働の軽減【解決する手段】法面裾野、池尻（１）の軟弱地盤を掘削した縦穴井戸（１０）に主柱吸水管を配備その周囲に木柱、竹材を垂直挿入し、地中集水。法面周辺雑草抑制には原木丸太（７）の輪切り材（８）、配列、ユニット配列（１４）で法面雑草に対応し、津波対策にはユニット配列（１４）の多積層構築網【選択図】図２
2020127395.tif 000002
【特許請求の範囲】
【請求項１】
棚田法面（１）その環境保全をはかり法面下部側（３）裾野に集水、排水機能を有する縦穴建柱井戸（６）で法面（１）を支え、縦穴建柱井戸（６）に吸水管（１３）縦挿入材（１１）横配列材（１２）を配備した地中埋設可能な給排水設備
【請求項２】
雑草抑制、制御機能を低価で誰でもが施工できる素材活用に自然に自生する原木丸太、木造住宅廃材（７）を輪切し、前記輪切り材（８）を法面上面（１）に部分、全面配列を行い、表裏面より平板板を打ち付けて輪切り材（８）の安定を図り、法面雑草、道路脇の雑草に対する生育阻止の可能な原木丸太輪切り配列、人口素材ユニット配列を地中固定杭で固定配備
【請求項３】
原木丸太（７）  前記原木丸太（７）を一定の寸法に輪切し、用途別に輪切り材（８）の表裏面、左右面に平板（５）を固定、及び輪切り材（８）の四面、六面体に平板固定した型枠内部に緩衝材（１５）を有する海面浮上体
【発明の詳細な説明】
【技術分野】
【０００１】本発明は樹木、植林、雑木材、廃材、人工素材を活用し、農業、自然災害，他分野に応用
【背景技術】
【０００２】自然界に自生する原木、雑木材は放置状態で，自然災害時に有効活用がされていない。一方農業従事者の労働時間は古代より重労働が蔓延化している。特に稲作栽培にはモミから稲の収穫、コメの精米に至るまでの工程が多すぎる為、重労働による健康被害が農作業の妨げになっている。【０００３】原木丸太、植林丸太、雑木丸太、いずれの樹木の形態は丸みを形成している。
この特性を有効活用が見落とされている。
【先行技術文献】
【０００４】
【公知】
公道、農道、法面には輪切り材の配列配置が見当たらない
東南海津波対策、岡山県真備町水害後にも浮体材報道が無い
【発明の概要】
【発明が解決しようとする課題】
【０００５】丸太原木の細い間伐材、雑木などは製材しても採算性が取れない為、従来は焼却、チップ材として利用されていたが、雑草の抑制に、草刈機、除草剤以上の効果を可能な状態にするため細い間伐材，笹もある一定の寸法に輪切りすることで法面雑草の生育を抑制せるパーツ材として使えることに気付くべき課題である。輪切り材間の接合隙間を埋める、挿入材として活用すれば有効利用が成り立つ。【０００６】農業従事者の労働時間短縮、無用工程の排除を目標に本発明は自然界に存在する樹木の特性を最大限に活用する事にある。植林、原生林、雑木は道路にはみ出し、住宅の庭木は道路側にのびて交通妨害、休耕地が放置されているのが現状である。地球温暖化による異常気象がもたらす、山林火災、自然災害において完璧な、対策は公知公開されていないのが現状である。【０００７】自然界における、生物に対する対応が放置状態であるために、人類が直面する、地球温暖化による、自然災害の多発状態を地上から削除する目的で植物の有効活用についての課題解消を目的とする。水難浮上材への応用。森林施工管理、竹林施工管理が重要な課題である。いかにして手入れの行き届いた公園環境を確立するかが重要である。【０００８】法面の雑草対策として、最近では法面全体をコンクリート、防草シートで覆う工法が見受けられるが、雨水は法面に浸透することなく法面を流れるだけであり、河川に流入する水量が増加する要因になる。【０００９】棚田法面には古代より今日に至るまで排水に悩まされて重労働が常習化しており。改良の余地がない諦めで毎年同じ繰り返しを実施している状態である。
このような、軟弱地盤を砂地もしくは平野部と同様の土壌にして、稲作作業効率を改善するための工法が求められている。
【課題を解決する手段】
【００１０】本発明は前記課題を解決するために、以下の手段を採用した。すなわち本発明は法面施工管理に関して、現況の軟弱地盤の改善を図る手段として棚田法面の裾野に垂直開口穴を掘削し地下水を集水し排水する機能を有し、軟弱地盤の改良を図り為の手段として縦穴井戸を配備しその中央部に配置する主柱に取り付けた吸水口管を設け、その主柱の全周に縦配列材を挿入して地下集水、排水設備（請求項１に対応）
【００１１】雑草抑制、制御機能を自生する原木丸太、木造住宅廃材等の長尺物を一定寸法の長さに輪切りしてその輪切り材を法面全面配列して法線方向杭にて法面地面に固定して雑草の生育、成長の阻害時として農作業時間の短縮に一躍買う方法の手段を提供する。輪切り材は現場施工と輪切り専用作業場にて輪切り材を輪切りユニットに組立し法面施工管理に現場で作業することなく、運搬にて固定する方法を採用する。（請求項２に対応）
【００１２】輪切り材表裏面に平板を張り付け、その輪切り材全周を、梱包材にて囲い内部空間を形成し、浮体機能を持たせるユニット配列材を施工し、豪雨災害時に水面浮上する構造物として社会貢献。（請求項３に対応）
【００１３】原木丸太を製材機にて長尺板を製材するのではなく、チエンソー、木工のこぎり等で輪切り切断を一定の寸法で切断し、切断した輪切り材を法面全体に又は部分配列して、雑草の生育を阻害する機能と足場ベースとして滑りとめ機能を持たせる。チエンソーで丸太を切断するのに特殊な技術はいらないし、農作業のできる方なら誰もが輪切り材を作ることが出来る。放置休耕田に自生した雑木を有効活用する事は、休耕田が水田に復活可能の手段となりうる。原木丸太を輪切りする作業は切断する目印が示されると、長尺の長い丸太を輪切りする所要時間は短時間で終了する。実際チエンソー輪切り作業をすれば意外と簡単作業が終わる。
【００１４】農業従事者の労働時間の軽減に関する分野でも、森林、竹林、稲のわら、ダンボール紙類、繊維衣類古着等による集積結束し、結束後の小口を垂直に立設し雑草の抑制に使用し、稲作水田の畦、法面に活用する、ことにより雑草抑制が可能となり農作業の時間軽減が可能となる。森林、竹林管理の重要性を地元住民が気づけば、従来からの農作業の重労働から開放される。また豪雨災害の農業施設への被害解消の効果が得られる。
【００１５】稲作水田に従事する農家には、作業工程が多岐にわたり、重労働に悩まされているが、作業工程を少なくする手段が機械化により解決されたが如く、勘違いをしている。例えば、畦ぬり機で畦塗りをしても、畦形状は維持されない課題が起こる。畦ぬり土壌を好んでモグラが畦掘りしトンネルを開けることで水田管理で重要な漏水が起こる。など機械化を進んでも農業従事者には次々と課題が起きている。クズ鉄再利用して鉄製平板。森林原木加工による材木平板。原木柱、を活用して法面強化施工を行い垂直建柱による、法面補強、雑草抑制、環境保全など、農作業工程の軽減化を最優先に考慮した、施工方法を見出すことを、目的とすることで従来の課題が解決することとなる。
【００１６】棚田法面裾野の縦穴井戸を配備と従来の生活井戸、産業井戸との相違において、大きな相違点では開口後の形態に違いがある。棚田法面裾野の場合は開口部全体を給水管口の周囲に縦挿入材を挿入することで開口穴に周囲の土砂が侵入しない状態を作り、軟弱地盤の地下水の集水と排水を目的とし。一方従来の縦穴井戸は深く掘り下げると同時に井戸側（コンクリート枠）を入れながら、掘り進める作業により井戸が完成する。法面井戸と従来の井戸との相違点は目的が違う。
【発明の効果】
【００１７】法面施工管理の手順を見直すことにより、法面補強による法面全体が土砂崩れなどによる農業災害の発生を軽減し、法面一面に生育する雑草を、原木丸太の輪切り材の配列により、草刈機の作業がなくなる状態になると、除草剤等従来苦労していた草刈りに費やしていた時間から解放されることとなる、そのためには、休耕田、森林、竹林の施工管理に対する意志と魂を注ぎ、徹底した実践により、我が列島の自然環境が最良の状態となり、野生動物の農作物への被害現象にも貢献できる近道である。
【図面の簡単な説明】
【００１８】
【図１】  法面施工前の標準断面図である。
【図２】  法面輪切り材、縦穴井戸施工後の断面図である。
【図３】  原木丸太輪切り材の断面図である。
【図４】  輪切り材表裏面平板断面図である。
【発明を実施するための形態】
【００１９】図１は現況標準の棚田（１）の法面断面図であり、法面下部田の（２）裾野には排水溝（９）が設けられ。排水溝作業中に発生する残土盛り土（１８）は水田側に盛り土（１８）として盛られている。すなわち、排水溝全体、盛り土部分、法面全体には雑草が生育成長過程を示し法面上部には水田に必要な畦全体にも雑草が生育し、稲作栽培の作業工程の中でも草刈り作業は栽培期間中の重労働と長時間を要し、危険を伴う作業である。ため池の法面、その裾野のも同じ形態の排水溝が設けられているのが現状である。
【００２０】図２は棚田法面（１）に作業工程の削減に対する形態を示した図である。
棚田法面（１）には原木丸太（７）の輪切り材（８）が配列され、雑草（１７）の生育を防止する役割を果たし、輪切り材（８）、輪切りユニット（１４）が法面（１）からずれることが無いように法線方向杭を設け、輪切り材（８）、輪切りユニット配列（１４）が相互の連動しあう表面固定を木工補助桟でネジ釘、鉄製釘で打ちつけて法面（１）に確実に固定を行う。固定方法は多種にわたり確立できる。輪切り材と輪切り材との配列には接合部分に隙間が生じる、その隙間を無くす為に。隙間寸法に応じた挿入材、砂でうずめる。また輪切り配列後、降雨水が輪切り材の裏側に浸透する対策は、輪切り材の配列部分を部分的に外すことにより解消される。
【００２１】図２の法面下部田（３）の裾野の軟弱地盤の排水機能を完璧に行うために、法面裾野又はその周辺に縦穴開口穴（１０）を垂直に開口し用意した主柱に接合配備した吸水パイプ（１３）を縦穴中心部に挿入し、主柱を囲むように開口穴の周囲に木柱、竹材、樹脂パイプ等（縦挿入材）（１１）で開口穴全周が塞がるまで開口穴に接合挿入を行う、そのことにより開口穴に最初に挿入した、主柱吸水パイプの吸水口に土砂等侵入を防ぐ効果が生まれる。主柱給水管口は開口穴の底地面より５０ｃｍ〜１ｍほど上に配置するのが理想である。
【００２２】図２は地中に縦開口穴（１０）が設けられ、その中心内部には主柱吸水管（１３）が挿入され、その周囲に接合挿入する木材、竹材、樹脂パイプなどは図には示していないが、挿入後には主柱給水管の周辺には地下の軟弱地盤の要因の地下水が集水する、集水された地下水を給水管口とり地上に設置したポンプにて吸水する。現場状況に応じて、対応、対策が変化するため、開示はしない。しかしながら稲作作業時任に開口穴に挿入した資材が障害物となると排水機能が充実しても、新たな対策が必要となる。そこで本発明はこのような障害物とならない形態について考慮した結果、１番目は地表に突出しても障害物にならない場合はそのままに、障害になる場合は地中埋設の方法を選択、すなわち、地中開口穴を掘削後、工程は同一工程であるが、大きな違いはあらかじめ、最終挿入資材の上部先端が地中内に収まる深さに、またその先端に土砂侵入防止のための水平配列できる資材が配置できる余裕ある資材先端を低い目にしておくことで、トラックター耕運作業に支障をきたすことなく作業が可能となる。また吸水パイプの地表取り出しは地中埋設工事による、任意の位置の地表に突出すればよいので、自由にポンプアップ、排水，灌水等の選択肢が増、法面裾野の軟弱地盤の課題を解決する。尚、縦穴井戸を配備により軟弱地盤が改善できない場合、縦穴井戸の増設、規模の拡大によりそれらの課題は解決することが可能である。地下水の状態は土壌環境により、大きな影響が地上に現れるので、数年かけて改善するゆとりともって取り組むべきである。
【００２３】図３は原木丸太（７）を輪切りにする為の寸法補助線の目印と輪切り材（８）の断面図である。
【００２４】図４は輪切り材（８）を配列後、その表裏面に平板（５）を固定し左右端末も同様に固定し、単体輪切り材構造物が完成する。この用途の応用部材としては、輪切り材（８）間の隙間に緩衝材（１５）を入れておくと水面上に浮体物として浮上する。雑草抑制の重石、畦道押して畦シートとして畦の漏水防止として採用することが出来る。
農業従事者にとり、コメの価格低迷は死活問題であり、母も乙女も艱難辛苦に遭遇しながらも、作業をしている現状から、農作業工程の削減には低価格で理想形態を自家法面に生かさなければならないことを主張しておきます。
【符号の説明】
【００２５】１      法面
２      法面上部田
３      法面下部田
４      畦
５      平板
６      建柱
７      原木丸太
８      輪切り材
９      排水溝
１０    縦開口穴
１１    縦挿入材
１２    横配列材
１３    吸水管
１４    輪切り材ユニット配列
１５    緩衝材
１６    地中固定杭
１７    雑草
１８    盛り土
【図１】
2020127395.tif 000003
【図２】
2020127395.tif 000004
【図３】
2020127395.tif 000005
【図４】
2020127395.tif 000006